(57)【要約】【課題】内シートが容易に分断できると共に、衝撃等で一部が破断しても該破断部位が広がり難いハーフカットが形成された内シートを備える米飯加工食品の包装体を提供することを課題とする。【解決手段】本発明に係る米飯加工食品２の包装体１は、幅方向に分断可能な外シート１０と、シート状食品３を介して外シート１０に重ね合わされる内シート２０とを備え、重ね合わせた両シート１０，２０のうち、シート状食品３よりも外側における所定の囲い込み領域Ｓが熱溶着されると共に、外シート１０の分離に伴って内シート２０が分断されるよう構成されてなる包装体１において、前記内シート２０は、全長に亘って溝状のハーフカットＨが形成され、該ハーフカットＨは、深さの浅い破断規制部Ｈａと深い破断開始部Ｈｂとが交互に連続するように構成されることを特徴とする。【選択図】図３
2008100741.tif 000002
【特許請求の範囲】
【請求項１】
幅方向に分断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体において、
前記内シートは、全長に亘って溝状のハーフカットが形成され、該ハーフカットは、深さの浅い破断規制部と深い破断開始部とが交互に連続するように構成されることを特徴とする米飯加工食品の包装体。
【請求項２】
前記外シートは、全長に亘って前記ハーフカットが形成されることを特徴とする請求項１記載の米飯加工食品の包装体
【請求項３】
前記内シートに、前記ハーフカットを覆うようにセンターシートがさらに重ね合わされ、該センターシートは、前記ハーフカットと交わることなく且つ全長に亘り、前記ハーフカットを挟んで一方側の内シートに熱溶着されることを特徴とする請求項１又は２に記載の米飯加工食品の包装体。
【請求項４】
前記内シートの積層方向外側に、前記ハーフカットを挟むように少なくとも一対の折り返し用シートがさらに重ね合わされ、該一対の折り返し用シートは、その内側端部を前記ハーフカットに沿って且つ全長に亘って前記内シートに熱溶着されることを特徴とする請求項１又は２に記載の米飯加工食品の包装体。
【請求項５】
前記内シートは、その一部が積層されるよう、折り目が長さ方向に沿うと共に山折りと谷折りとが交互に形成される折り畳み部を備え、該折り畳み部を構成する最外層、中間層及び最内層の少なくとも一層に、前記ハーフカットが形成されていることを特徴とする請求項１又は２記載の米飯加工食品の包装体。
【請求項６】
前記内シートは、前記山折りと谷折りとの折り目部がそれぞれ熱溶着されていることを特徴とする請求項５記載の米飯加工食品の包装体。
【請求項７】
前記外シートの積層方向外側且つ前記分断可能位置を跨ぐように、品名等が印刷されたラベルがさらに貼着され、該ラベルは、前記分断可能位置と対応する位置に他の部分より破断強度の弱い易破断部が形成されていることを特徴とする請求項１乃至６の何れか一項に記載の米飯加工食品の包装体。
【請求項８】
前記外シート又は内シートの少なくとも一方に形成される前記ハーフカットの少なくとも一方の端部に分断開始部がさらに形成され、該分断開始部は、切込みの先端部に先端側が円弧又は略円弧状の貫通孔が連接されることを特徴とする請求項１乃至７の何れか一項に記載の米飯加工食品の包装体。
【発明の詳細な説明】
【技術分野】
【０００１】
本発明は、おにぎり等の米飯加工食品の包装に用いられる包装体に関し、より詳しくは、おにぎり等の米飯加工食品と海苔等のシート状食品とを互いに接することなく別々に包装し、食する際に両者を簡単に合体させることができる包装体に関する。
【背景技術】
【０００２】
従来より、コンビニエンスストア等で販売されている海苔付きおにぎりは、おにぎりと接することによって海苔が湿気ることを防止するため、外シートと内シートとの間に海苔を収納した米飯加工食品の包装体（以下、単に「包装体」と言うことがある。）によっておにぎりを包装することで、おにぎりと海苔とが直に接することがないように包装していた。
【０００３】
図１０に示すように、この包装体５０は、シート状の海苔５１を挟み込んで収納するために、１枚のフィルムで構成される外シート５２と２枚のフィルムで構成される内シート５３を備えている。外シート５２は、例えば、おにぎりを包み込むことができる大きさの略長方形に形成されている。また、外シート５２は、内側（内シート側）面に、その長さ方向の両端中央部を互いに結ぶセンターライン上にカットテープ５４が貼着され、このカットテープ５４を引っ張ることにより、引き裂かれて幅方向に分断（二分割）されるように構成されている。
【０００４】
他方、内シート５３を構成する２枚のフィルムは、外シート５２と内シート５３とを重ね合わせた際、該外シート５２のセンターライン上で一方のフィルムの内側端部と他方のフィルムの内側端部とを上下に重ね合わせ、内シート５３の幅方向へ容易に分離できるように配置されている。
【０００５】
かかる外シート５２と内シート５３とは、その間に海苔５１を挟む（介在する）ように重ね合わせた状態で、長さ方向における両端中央部を除いた周縁部が、ヒートシール５５等によって溶着され、包装体５０を構成している。
【０００６】
このように構成される包装体は、図１１に示すように、内シート５３側におにぎり５６が載せられ、カットテープ５４の一方の端部がおにぎり５６の一つの角部に位置するよう、包装体５０を二つ折りにし、内部に収納している海苔５１と共におにぎり５６の形状に即して折り曲げることによって、おにぎり５６を包装する（包み込む）。この時、おにぎり５６は、海苔５１との間に内シート５３だけが介在するように包装されている。
【０００７】
このようにして包装されたおにぎり５６の頂部側の角部から突出しているカットテープ５４の端部を摘んで引っ張ると、おにぎり５６を包んでいる包装体５０の外シート５２が引き裂かれることによって分断（二分割）され、その後、おにぎり５６の底辺側の角部から突出している部分的に包装体が折り重なった耳部５８，５８を互いに離間方向に引っ張ると、それと共に内シート５３を構成する２枚のフィルムがそれぞれおにぎり５６と海苔５１との間から前記離間方向に引き抜かれて海苔５１がおにぎり５６を包んだ状態（おにぎり５６と海苔５１とが合体した状態）となり、おにぎり５６を食することができるようになる。
【０００８】
ところで、上記包装体５０でおにぎり５６を包装した場合、おにぎり５６と海苔５１との間には、上述のように内シート５３が介在し、該内シート５３を構成する２枚のフィルムの内側端部同士が互いに隙間なく重なり合うことによって、おにぎり（お米）５６が有する水分が海苔５１の収納されている空間内に入り込み難いように包装されている。
【０００９】
しかし、例えば、おにぎり５６を包装するため、包装体５０をおにぎり５６に即して折り曲げる際に、内シート５３を構成する２枚のフィルムの互いに重なり合う内側端部間に隙間が生じる場合がある。このようにして生じた隙間から、おにぎり５６が有する水分が海苔５１を収納する空間内に入り込んで海苔５１を湿気らせ、海苔特有の食感であるパリパリ感を味わうことができなくなるという問題が生じていた。
【００１０】
そこで、おにぎり５６の有する水分が海苔５１の収納空間に浸入しないようにするため、２枚のフィルムで構成される内シート５３の代わりに、センターライン上に溝状のハーフカットが形成された１枚のフィルムで構成される内シート（図示せず）を備える包装体が提供された。かかるハーフカットは、内シートを構成するフィルム表面（ひょうめん）に形成される深さが一定の溝で、超音波やレーザー等によって形成される。即ち、内シートのハーフカットが形成されている部分の厚みは、溝（ハーフカット）の深さ分だけ薄くなっている。
【００１１】
このような内シートを備えた包装体でおにぎりを包装することで、海苔とおにぎりとの間に内シートが介在すると共に、該内シートには上述のような重ね合わせ部等、内シートの表面側と裏面側とが連通するような部位が存在しなくなり、おにぎりの水分が海苔の収納空間に浸入することを防ぐことができる。
【００１２】
さらに、内シートのハーフカットが形成されている位置は、その厚みがハーフカットの深さ分だけ薄くなっていることから他の部分に比べて強度が弱くなっている。そのため、おにぎりを包装している包装体の外シートを分断し、底辺側角部に形成された耳部を互いに離間方向に引っ張った際、海苔とおにぎりとの間に介在している内シートは、ハーフカットの位置から容易に破断する。そして、該破断によって分断された内シートが前記耳部の離間方向に引っ張られることでおにぎりと海苔との間から引き抜かれ、おにぎりと海苔とが合体する。
【発明の開示】
【発明が解決しようとする課題】
【００１３】
ところで、前記ハーフカットは、溝の深さを深く形成することで内シートが破断し易くなり、おにぎりと海苔とを合体させる際、内シートを容易且つきれいにハーフカットの位置で分断できる。そのため、包装されているおにぎりを崩すことなく包装体を取り外し、海苔とおにぎりを合体させることができる。
【００１４】
しかし、ハーフカットが深く形成されると、包装体で包装されたおにぎりを搬送したり、商品棚に陳列されている前記おにぎりを購買者が手で掴んだりすることによって内シートに衝撃等が加わることで、簡単に内シートがハーフカットの一部で破断する。このように、一旦、内シートがハーフカットの一部で破断すると、該破断部がハーフカットに沿って広がり易く、ハーフカットの広範囲に亘って内シートが破断してしまう。そのため、かかる部分からおにぎりが有する水分が海苔の収納空間に浸入して海苔が湿気てしまうといった問題が生じる。
【００１５】
一方、上記問題を防ぐために、前記ハーフカットを浅く形成することで、換言すると、ハーフカットの位置における内シートの厚みを厚くすることで、上記衝撃等による内シートのハーフカットでの破断をし難くすることも考えられた。
【００１６】
しかし、ハーフカットを浅く形成すると、おにぎりを食するために該おにぎりから包装体を取り外す際、内シートが破断し難くなり、無理に包装体を取り外そうとすることでおにぎりに大きな力が加わり、おにぎりが崩れたり、ハーフカットの位置以外で内シートが破断して海苔が破れたりする等の問題が生じる。
【００１７】
そこで、本発明は、上記問題点に鑑み、内シートが容易に分断できると共に、衝撃等で一部が破断しても該破断部が広がり難いハーフカットが形成された内シートを備える米飯加工食品の包装体を提供することを課題とする。
【課題を解決するための手段】
【００１８】
そこで、上記課題を解消すべく、本発明に係る米飯加工食品の包装体は、幅方向に分断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体において、前記内シートは、全長に亘って溝状のハーフカットが形成され、該ハーフカットは、深さの浅い破断規制部と深い破断開始部とが交互に連続するように構成されることを特徴とする。
【００１９】
かかる構成によれば、内シートは、全長に亘って溝状のハーフカットが形され、該ハーフカットは、深さの浅い破断規制部と深さの深い破断開始部とが交互に連続するように構成されていることから、一部の破断開始部が外部からの衝撃等によって破断したとしても、ハーフカットに沿って前記破断部が広がらないよう、破断規制部によって規制することができる。
【００２０】
詳細には、ハーフカットは、内シートに形成された溝状体であって、その深さが浅い部分は、深さの深い部分よりもシートの厚みが厚くなっている。換言すると、破断規制部は、ハーフカットにおけるシートの厚みの厚い部分であり、破断開始部はシートの厚みの薄い部分である。また、ハーフカットにおいては、破断規制部の方が破断開始部よりもシートの厚みが厚いため破断強度が強い（大きい）。
【００２１】
従って、米飯加工食品の包装体に外部から衝撃等が加わることによって幅方向に分断する方向の力が内シートに加わると、破断強度の弱い（小さい）破断開始部から破断する。そして、ハーフカットの一部が一旦破断すると、僅かな力で前記破断部がハーフカットに沿って広がるが、前記破断がシートの厚みの厚い破断規制部に達するとそれ以上の破断の広がりが規制される。
【００２２】
しかし、ハーフカットは、内シートの他の部分よりも厚みが薄いため、人の手等によって人為的に包装体を開封するために内シートを幅方向に分断するように力を加えると、破断規制部も容易に破断することができる。
【００２３】
その際、破断規制部は、そのシートの厚みが内シートのハーフカット以外の部分におけるシートの厚みよりも薄くなっているため、一部の破断開始部から始まった内シートの破断がハーフカットを逸れて広がることも抑制することができる。
【００２４】
即ち、一部の破断開始部が破断し、該破断が破断規制部に達すると、内シートのハーフカット以外の部分よりもシートの厚みの薄い破断規制部に沿って破断が広がる。そして、破断規制部が、前記破断を次の（該破断規制部の隣の）破断開始部へ案内（ガイド）し、ハーフカット以外に破断が広がるのを抑制する役目も果たす。
【００２５】
また、前記外シートは、全長に亘って前記ハーフカットが形成される構成であってもよい。
【００２６】
かかる構成によれば、外シートにも、その全長に亘って前記ハーフカットが形成されるため、前記同様、衝撃等によって外シートにおける前記ハーフカットの破断開始部が破断したとしても、該破断が破断規制部によって前記ハーフカットに沿って広がるのを規制することができると共に、米飯加工食品の包装体を開封する際には外シートを前記ハーフカットで容易に分断することができる。
【００２７】
さらに、外シート及び内シートにそれぞれ前記ハーフカットが形成されていることから、米飯加工食品を包装している米飯加工食品の包装体をワンタッチで取り外して米飯加工食品とシート状食品とを合体させることができる。
【００２８】
即ち、米飯加工食品を包装している米飯加工食品の包装体を開封する（取り外す）際、従来の米飯加工食品の包装体であれば、外シートに備えられたカットテープ等の開封手段によって外シートを分断した後、米飯加工食品を包装している包装体の両端部を分断された外シートが互いに離間する方向にそれぞれ引っ張って取り外すことで米飯加工食品とシート状食品とを合体させるといった２段階の手順が必要となる。
【００２９】
しかし、上記構成によれば、前記ハーフカットを挟んで包装体の両端部を摘み、該摘んだ部分をそれぞれ離間する方向に引っ張るだけで、外シートと内シートとがハーフカットで分断されるため、前記カットテープ等によって外シートを分断する手順を経ることなく１段階の手順のみで米飯加工食品から米飯加工食品の包装体を取り外すことができる。
【００３０】
従って、外シートと内シートとが共に容易に分断できると共に、ハーフカットが衝撃等によって一部が破断しても該破断部が広がり難くなる。
【００３１】
また、前記内シートに、前記ハーフカットを覆うようにセンターシートがさらに重ね合わされ、該センターシートは、前記ハーフカットと交わることなく且つ全長に亘り、前記ハーフカットを挟んで一方側の内シートに熱溶着される構成であってもよい。
【００３２】
かかる構成によれば、シート状食品を介して外シートに重ね合わされる内シートに、前記ハーフカットを覆うようにセンターシートがさらに重ね合わされている。従って、米飯加工食品を包装した際、内シートと米飯加工食品との間、若しくは内シートとシート状食品との間にセンターシートが介在する。そのため、内シートにおけるハーフカットの一部が衝撃等で破断したとしても、内シートの該破断部と米飯加工食品との間、若しくは内シートの破断部とシート状食品との間に前記センターシートが介在し、前記破断部にセンターシートが蓋をした状態となる。そのため、前記センターシートによって、前記破断部から浸入しようとする米飯加工食品の有する水分（湿気）がシート状食品に到達することを防ぐことができる。
【００３３】
即ち、上記構成によれば、衝撃等でハーフカットの一部（破断開始部）が破断したとしてもハーフカットに沿って該破断部が広がるのを好適に抑制（規制）することができると共に、該破断部がセンターシートによって覆われているため、シート状食品側（積層方向内側）に米飯加工食品の水分が浸入することを好適に抑制することができる。
【００３４】
特に、センターシートが内シートの積層方向における内側に重ね合わされた場合、該センターシートは、外部からハーフカットに伝わる衝撃等を少なくする緩衝材として働く。即ち、センターシートは、米飯加工食品の包装体で米飯加工食品を包装した際、内シートのシート状食品側に位置している。そのため、該米飯加工食品の包装体に外部から衝撃等が加わると、該衝撃等は、外シート、シート状食品、センターシート、そして内シートの順に伝わる。従って、センターシートを経て内シートに伝わる衝撃は、センターシートがない場合に比べて減少している。その結果、センターシートを内シートの積層方向における内側に重ね合わせることで、衝撃等によってハーフカットの一部（破断開始部）が破断することを防止、若しくは減少させることができる。
【００３５】
また、前記センターシートは、前記ハーフカットと交わることなく且つ全長に亘り、前記ハーフカットを挟んだ一方側の内シートに熱溶着されている。そのため、米飯加工食品を包装している米飯加工食品の包装体を取り外して米飯加工食品とシート状食品とを合体させるために、内シートをハーフカットから幅方向に分断して離間させた際、前記センターシートは、分断された一方の内シートと共に米飯加工食品とシート状食品との間から引き抜かれる（取り除かれる）。そのため、センターシートを単体で米飯加工食品とシート状食品との間から引き抜く必要がなく、容易且つ素速く引き抜くことができる。
【００３６】
また、前記内シートの積層方向外側に、前記ハーフカットを挟むように少なくとも一対の折り返し用シートがさらに重ね合わされ、該一対の折り返し用シートは、その内側端部を前記ハーフカットに沿って且つ全長に亘って前記内シートに熱溶着される構成であってもよい。
【００３７】
かかる構成によれば、前記内シートの積層方向外側に、前記ハーフカットを挟むように少なくとも一対の折り返し用シートがさらに重ね合わされ、該一対の折り返し用シートは、その内側端部を前記ハーフカットに沿って且つ全長に亘って前記内シートに熱溶着されていることから、米飯加工食品を包装した際、前記ハーフカットの両側部では、前記折り返し用シートが米飯加工食品と接することとなる。
【００３８】
そのため、米飯加工食品の包装体を米飯加工食品から取り外すために内シートをハーフカットから幅方向に分断させ、該分断部が離間する方向に内シートを引き離すと、折り返し用シートの内側（ハーフカット側）端部が熱溶着している内シートに引っ張られる。そのため、前記折り返し用シートが接している米飯加工食品と擦れることなく内側（ハーフカット側）から順に米飯加工食品と反対方向に捲れ上がり、米飯加工食品を崩す（割れを生じさせる）ような力が発生することなく、内シートを米飯加工食品とシート状食品との間から容易に引き抜くことができる。
【００３９】
その結果、分断した内シートを米飯加工食品とシート状食品との間から引き抜く際、無理な力を加える必要がないため、米飯加工食品の崩れ（割れ）を抑制することができると共にシート状食品の破れ等の発生も抑制することができる。
【００４０】
また、前記内シートは、その一部が積層されるよう、折り目が長さ方向に沿うと共に山折りと谷折りとが交互に形成される折り畳み部を備え、該折り畳み部を構成する最外層、中間層及び最内層の少なくとも一層に、前記ハーフカットが形成されている構成であってもよい。
【００４１】
かかる構成によれば、前記折り畳み部は、前記内シートをその一部が積層されるよう、折り目が長さ方向に沿うと共に山折りと谷折りとが交互に形成されており、該折り畳み部を構成する最外層、中間層及び最内層の少なくとも一層に、前記ハーフカットが形成されていることから、前記ハーフカットの一部が衝撃等によって破断したとしても、該破断部と対向する位置の折り畳まれた内シートによって前記破断部が蓋をされた状態となるため、前記破断部から浸入しようとする米飯加工食品からの水分がシート状食品に到達することを簡単な構成で好適に防ぐことができる。
【００４２】
また、前記内シートは、前記山折りと谷折りとの折り目部がそれぞれ熱溶着されている構成であってもよい。
【００４３】
かかる構成によれば、前記山折りと谷折りとの折り目部が熱溶着されていることから、折り目部が固定され、即ち、内シートの折り目（屈曲部）は、シートの復元力によって伸びようとするが、折り目の内側同士が熱溶着されることで、折り目（屈曲部）が固定されるため、米飯加工食品を包装する際に、前記折り畳み部がずれることない。そのため、ハーフカットの一部が破断したとしても、シート状食品側への該破断部からの水分の浸入を好適に抑制するという効果を維持し易くなる。
【００４４】
また、前記外シートの積層方向外側且つ前記分断可能位置を跨ぐように、品名等が印刷されたラベルがさらに貼着され、該ラベルは、前記分断可能位置と対応する位置に他の部分より破断強度の弱い易破断部が形成されている構成であってもよい。
【００４５】
かかる構成によれば、品名等が印刷されたラベルが前記外シートの積層方向外側且つ前記分断可能位置を跨ぐように貼着され、該ラベルは、前記分断可能位置と対応する位置に他の部分より破断強度の弱い易破断部が形成されている。そのため、米飯加工食品から米飯加工食品の包装体を取り外すために外シートを分断する際、前記ラベルは、外シートと共に易破断部に沿って破断され、米飯加工食品の包装体を米飯加工食品から取り外すことができる。
【００４６】
即ち、米飯加工食品から米飯加工食品の包装体を取り外す際、外シートに設けられた分断可能位置を跨ぐように貼着されている前記ラベルに邪魔されることなく、容易に外シートを分断することができる。
【００４７】
また、前記外シート又は内シートの少なくとも一方に形成される前記ハーフカットの少なくとも一方の端部に分断開始部がさらに形成され、該分断開始部は、切込みの先端部に先端側が円弧又は略円弧状の貫通孔が連接される構成であってもよい。
【００４８】
通常分断開始部は、Ｖ字状の切込み（いわゆる、ノッチ）によって構成され、分断時には前記Ｖ字状の先端部に力が集中して破断（分断）し始める。しかし、製造工程上の誤差により、前記Ｖ字状の切込み先端とハーフカット等の分断可能部とが幅方向にずれた場合、即ち、ハーフカットの端部がＶ字状の切込みの斜辺部と接続されている場合、破断しようとする力は、切込みは先端に集中するため、分断可能部の端部へうまく力が伝わらず、分断可能部を分断するのに通常よりも力が必要となる場合がある。
【００４９】
しかし、上記構成によれば、ハーフカット両端部に形成される破断開始部は、切込みの先端部に先端側が円弧又は略円弧状の貫通孔が連接されているため、製造行程上の誤差によってハーフカット等の破断可能部が前記切込み先端の中心と幅方向にずれた位置で接続されていても、Ｖ字状切込みのように先端だけでなく、円弧又は略円弧状部分全体に力が伝わる。
【００５０】
そのため、前記円弧又は略円弧状部分に分断可能部の端部が接続されていれば、容易且つ小さな力で分断可能部を破断させることができる。尚、本発明において、切込み先端方向とは、切込みが形成されているシート端縁からシート内側へ向かう方向をいう。
【発明の効果】
【００５１】
以上より、本発明によれば、内シートが容易に分断できると共に、衝撃等で一部が破断しても該破断部位が広がり難いハーフカットが形成された内シートを備える米飯加工食品の包装体を提供することができるようになる。
【発明を実施するための最良の形態】
【００５２】
以下、本発明の一実施形態について、添付図面を参照しつつ説明するが、先ず、米飯加工食品及びシート状食品について説明する。
【００５３】
図１及び図２に示すように、米飯加工食品２は、本実施形態においては三角形おにぎりである。しかし、これに限定される必要はなく、樽形状等に握られた各種形状のおにぎりであってもよく、鮨等であってもよい。また、米飯加工食品（以下、単に「おにぎり」と言うことがある。）２は、本実施形態においては白米で構成されているが、かやくご飯等であってもよい。さらに、おにぎり２の内部には具材が埋め込まれているが、サンドイッチのように米飯で挟むようにしてもよい。
【００５４】
シート状食品３は、本実施形態においてはシート状の海苔である。しかし、これに限定される必要はなく、畳鰯等であってもよい。また、シート状食品（以下、単に「海苔」と言うことがある。）３は、輪郭が矩形状となるように形成されているが、他の形状であってもよい。
【００５５】
次に、本実施形態に係る米飯加工食品の包装体（以下、単に「包装体」と言うことがある。）１について説明する。包装体１は、海苔３が直におにぎり２と接することがないよう、別々に包装することができるものであり、矩形状の外シート１０と、海苔３を介して外シート１０に重ね合わされる（積層される）内シート２０とを備える。
【００５６】
外シート１０は、矩形状のシート体（フィルム）であり、その大きさは、おにぎり２の全体を包み込むことができる大きさに設定されている。外シート１０は、幅方向の中央部に、該外シート１０を全長に亘って長さ方向に裂くことができる分断可能部１１を備える。本実施形態において、分断可能部１１は、外シート１０を幅方向に分断することができる後述の溝状のハーフカットＨで構成されている。そして、該ハーフカットＨの長さ方向両端には、分断開始部としてノッチ１２がそれぞれ形成されている。本実施形態におけるノッチ１２は、Ｖ字状の切込みで、切込み先端部（Ｖ字の屈曲部）がハーフカットＨの端部と一致若しくは略一致するように形成されている。尚、分断開始部１２は、Ｖ字状の切込みに限定される必要はなく、ホームベース状等であってもよい。
【００５７】
内シート２０は、矩形状のシート体である。詳細には、内シート２０は、外シート１０と重ね合わせた（積層させた）際に輪郭（外縁）が一致する大きさの矩形状のシート体である。内シート２０は、外シート１０と重ね合わせた際に、内シート２０における外シート１０の分断可能部１１と対応する位置、即ち、幅方中央部に該内シート２０の全長に亘って分断可能部２１を備える。本実施形態において、分断可能部２１は、内シート２０を幅方向に分断することができる溝状のハーフカットＨによって構成されている。また、分断開始部２２も、分断可能部２１同様、外シート１０の分断開始部１２と対応する位置に対応する形状で形成されている。
【００５８】
図３に示すように、ハーフカットＨは、シート体の表面（ひょうめん）に形成された溝状であり、該溝の深さの浅い破断規制部Ｈａと深い破断開始部Ｈｂとが交互に連続するように構成されている。即ち、ハーフカットＨにおける破断規制部Ｈａのシートの厚みｄａは、破断開始部Ｈｂのシートの厚みｄｂよりも厚くなるように形成されており、ハーフカットＨは、シートの厚みが厚い部分と薄い部分とが交互に現れるような溝状に形成されている。詳細には、破断規制部Ｈａ及び破断開始部Ｈｂは、共に深さが一定の溝状であって、これら破断規制部Ｈａと破断開始部Ｈｂとは、溝の底部が傾斜面状の連結部Ｈｃによって連結されている。また、各破断規制部Ｈａ，…の長さは全て同一若しくは略同一であり、各破断開始部Ｈｂ，…の長さは全て同一若しくは略同一である。
【００５９】
尚、本実施形態においては、ハーフカットＨは、内シート２０の積層方向における内側に設けられているが、これに限定される必要はない。即ち、上記のように、シートの厚みが厚い部分（破断規制部）Ｈａと薄い部分（破断開始部）Ｈｂとが交互に現れるように形成されるならば、内シート２０の積層方向における外側に設けられてもよく、両側に設けられてもよい。また、本実施形態においては、ハーフカットＨは、全て同じ長さの破断規制部Ｈａ，Ｈａ，…と破断開始部Ｈｂ，Ｈｂ，…とが交互に連続するように構成されているが、これに限定される必要もなく、他とは異なる長さの破断規制部Ｈａと破断開始部Ｈｂとが含まれていてもよい。
【００６０】
このような外シート１０と内シート２０とを、その間に海苔３を介在させた後、海苔３よりも外側における所定の囲い込み領域Ｓが熱溶着（ヒートシール）される。本実施形態においては、図２（イ）に示すように、外シート１０と内シート２０との長さ方向に沿う両側縁部を全長に亘って帯状にシール（溶着）Ｓ１する。該帯状のシールＳ１は、長さ方向に所定間隔をおいて、位置決め突出部Ｓ１ａ，…が幅方向中心に向かって突出するように形成されている。さらに、両シート１０，２０の中心と海苔３の中心とが略一致するようにそれぞれ配置し、海苔３の長手方向両端に近接して該海苔３を挟むように線状にシールＳ２，Ｓ２がなされ、前記位置決め突出部Ｓ１ａ，…と共に海苔３を位置決めしている。シールＳ２，Ｓ２は、幅方向に沿った帯状のシールであり、その長さ方向（内シート２０における幅方向）両端は、シールＳ１と連接している。このようにシールＳ１及びＳ２によって海苔３の周囲を全て囲むことによって、外シート１０と内シート２０との間に形成される海苔３の収納空間が全周に亘って密封され、海苔が湿気ることなく長期に亘って海苔３特有の食感であるパリパリ感を保つことができるようになる。
【００６１】
尚、図２（ロ）に示すように、シールＳ２は、外シート１０及び内シート２０のハーフカットＨ（分断部１１，２１）には掛からないように施されてもよい。このようにシールすることで、シールする際の熱によってハーフカットＨが潰れることがなく、包装体１の開封時における外シート１０及び内シート２０のハーフカットＨでの分断の行い易さを維持することができる。
【００６２】
また、上記外シート１０と内シート２０との重なり部へのシールは、ヒートシール（熱溶着）を用いているが、超音波溶着、又は高周波溶着等であってもよい。
【００６３】
次に、おにぎり２の包装について説明する。図４ａに示すように、包装体１の内シート２０上に、おにぎり２を倒した状態で載置する。その際、おにぎり２の幅中心が包装体１の幅中心に揃い、おにぎり２の底部が包装体１の長さ方向の中心近傍に位置するように載置する。この状態で包装体１内の海苔３は、おにぎり２の幅方向両端からはみ出していない。
【００６４】
図４ｂに示すように、包装体１を該包装体１の長さ方向の両端縁が揃うように、載置しているおにぎり２の底部近傍で二つ折りにする。
【００６５】
さらに、図４ｃにも示すように、包装体１の長さ方向に沿う両側縁を、おにぎり２の両側面側（三角おにぎり２の両斜面側）に折り畳んで重ね（折り重ね）、重ね合わされた部分（包装体１の長さ方向に沿った側縁部）をシールＳ３する。これによって、おにぎり２の頂部側が開口３１した包装袋１’が形成される。
【００６６】
この時、おにぎり２の底部両側（包装体１の幅方向両側縁側）の近接した位置に、折り重ねた包装体１によって三角状耳部３２，３２が形成される。該耳部３２，３２に線状のシールＳ４を施す。この線状のシールＳ４を施すことで、シート体（外シート１０及び内シート２０）側端部の重なり部（包装袋１’の側部）からの外気の侵入を好適に抑制することができる。
【００６７】
図４ｄに示すように、最後に包装袋１’の側部の袋開口３１側を内側に折り込んで、袋開口３１を、熱溶着等によってシールＳ５することで封止部を形成する。
【００６８】
以上のようにおにぎり２を包装体１で包装することで、おにぎり２と海苔３とを別々に包装することができる。即ち、包装されたおにぎり２と海苔３との間には、内シート２０が介在するように、おにぎり２は包装体１で包装されている。また、内シート２０には、ハーフカットＨが形成されているだけであり、おにぎり２を包装体１で包装した際、おにぎり２の収納空間と海苔３の収納空間との間に通気可能な部分がなく、おにぎり２の有する水分が海苔３に到達することはない。そのため、食した際の海苔３のパリパリ感を長期に亘って損なうことなく、包装体１でおにぎり２を包装した状態で店舗等に陳列することができる。
【００６９】
次に、おにぎり２を食するときについて説明する。図５に示すように、包装されたおにぎり２の包装（包装体１）を取り外す（開封する）際には、一方の手で、外シート１０のハーフカットＨを中心として包装袋１’の一方側の上端部を摘み、他方の手で包装袋１’の他方側の上端部を摘む。そして、互いに離間方向に引っ張る（図５（イ）参照）。このようにすることで、外シート１０及び内シート２０のハーフカットＨは、ノッチ（分断開始部）１２（２２）の先端部から破断し始める。
【００７０】
さらに、摘んでいた上端部を離間方向に引っ張ると、外シート１０及び内シート２０は完全に分断され、この分断された外シート１０の一方と、該一方の外シート１０に溶着された内シート２０とが引っ張り出され、海苔３の半分が露出する（図５（ロ）参照）。
【００７１】
詳細には、ハーフカットＨを挟んで一方側の包装袋１’の上端部を他方側の上端部と離間する方向に引っ張ると、外シート１０及び内シート２０には互いに離間する方向（幅方向）の力が加わる。その結果、外シート１０及び内シート２０のノッチ（分断開始部）１２（２２）の先端部に力が集中し破断し始める。そして、該破断は、他の部分よりもシートの厚みの薄いハーフカットＨに沿って広がる。
【００７２】
より詳細には、ノッチ１２（２２）の先端部とハーフカットＨの端部とが一致している場合は、ノッチ１２（２２）の先端部から開始した破断は、ハーフカットＨに沿って広がる。また、製造工程上の誤差によってノッチ１２（２２）の先端部とハーフカットＨの端部とが僅かに包装体１の幅方向にずれていた場合は、ノッチ１２（２２）の先端部が破断し、該破断がハーフカットＨに向かうと共に、包装袋１’の両側上端部を離間方向に引っ張る力がハーフカットＨの端部にも伝わり、ハーフカットＨにおける破断規制部Ｈａよりもシートの厚みが薄い、即ち、ハーフカットＨを構成する溝の深さが深いために破断強度の弱い破断開始部Ｈｂのうちノッチ１２（２２）の先端部に近い破断開始部Ｈｂから破断を開始する。さらに外シート１０及び内シート２０に前記離間方向（幅方向）の力が加わることで、前記破断がハーフカットＨに沿って広がり、外シート１０及び内シート２０がハーフカットＨ部分で２つに分断される。そして、分断された一方の外シート１０にシールされている一方の内シート２０は、該一方の外シート１０に引っ張られることで、海苔３とおにぎり２との間から引っ張り出され、海苔３の半分が露出する。
【００７３】
その後、露出した海苔３の上からおにぎり２を保持し、一方の手でおにぎり２を包装している残り（他方）の外シート１０を摘んで外側に引っ張る。
【００７４】
おにぎり２から包装袋１’が完全に取り外され、海苔３だけが残っておにぎり２と合体する。このようにして、パリパリ感を有する海苔３が被さったおにぎり２を食することができるようになる。
【００７５】
以上のような包装体１によれば、外シート１０及び内シート２０には、幅方向中央部に全長に亘って溝状のハーフカットＨが形され、該ハーフカットＨは、深さの浅い破断規制部Ｈａと深さの深い破断開始部Ｈｂとが交互に連続するように構成されている。そのため、一部の破断開始部Ｈｂが外部からの衝撃等によって破断したとしても、ハーフカットＨに沿って前記破断が広がらないよう、破断規制部Ｈａによって規制することができる。
【００７６】
詳細には、ハーフカットＨは、外シート１０及び内シート２０の表面（ひょうめん）に形成された溝状体であって、その深さが浅い部分は、深さの深い部分よりもシートの厚みが厚くなっている。換言すると、破断規制部Ｈａは、ハーフカットＨにおけるシートの厚みの厚い部分であり、破断開始部Ｈｂはシートの厚みの薄い部分である。また、ハーフカットＨにおいては、破断規制部Ｈａの方が破断開始部Ｈｂよりもシートの厚みが厚いため強度（破断強度）が強い（大きい）。
【００７７】
従って、包装体１に外部から衝撃等が加わることによって幅方向に分断する方向の力が内シート２０に加わると、強度の弱い破断開始部Ｈｂから破断し、一旦破断すると、僅かな力で前記破断部がハーフカットＨに沿って広がるが、前記破断がシートの厚みの厚い破断規制部Ｈａに達するとそれ以上の破断の広がりが規制される。
【００７８】
しかし、ハーフカットＨは、内シート２０の他の部位よりも厚みが薄いため、人の手等によって人為的に包装体１を開封するため、内シート２０を幅方向に分断するように力が加わると、破断規制部Ｈａも容易に破断することができる。
【００７９】
その際、破断規制部Ｈａは、そのシートの厚みが内シート２０のハーフカットＨ以外の部分におけるシートの厚みよりも薄くなっているため、一部の破断開始部Ｈｂから始まった内シート２０の破断がハーフカットＨを逸れて広がることも抑制することができる。
【００８０】
即ち、一部の破断開始部Ｈｂが破断し、該破断が破断規制部Ｈａに達すると、内シート２０のハーフカットＨ以外の部分よりもシートの厚みの薄い破断規制部Ｈａに沿って破断が広がる。そして、破断規制部Ｈａが、前記破断を次の（該破断規制部Ｈａの隣の）破断開始部Ｈｂへ案内（ガイド）し、ハーフカットＨ以外に破断が広がるのを抑制する役目も果たす。
【００８１】
また、外シート１０及び内シート２０にそれぞれ前記ハーフカットＨが形成されていることから、おにぎり２を包装している包装体１をワンタッチで取り外しておにぎり２と海苔３とを合体させることができる。
【００８２】
即ち、おにぎり２を包装している包装体１を開封する（取り外す）際、従来の包装体であれば、外シートに備えられたカットテープ等の開封手段によって外シートを分断した後、おにぎりを包装している包装体の両端部を分断された外シートが互いに離間する方向にそれぞれ引っ張って取り外すことでおにぎり２と海苔３とを合体させるといった２段階の手順が必要となる。
【００８３】
しかし、上記構成によれば、前記ハーフカットＨを挟んで包装体１の両端部を摘み、該摘んだ部分をそれぞれ離間する方向に引っ張るだけで、外シート１０と内シート２０とがハーフカットＨで分断されるため、前記カットテープ等によって外シートを分断する手順を経ることなく１段階の手順のみでおにぎり２から包装体１を取り外すことができる。
【００８４】
従って、外シート１０と内シート２０とが共に容易に分断できると共に、ハーフカットＨが衝撃等によってその一部が破断しても該破断部が広がり難くなる。
【００８５】
尚、本発明の包装体１は、上記実施形態に限定されるものではなく、本発明の要旨を逸脱しない範囲内において種々変更を加え得ることは勿論である。
【００８６】
例えば、本実施形態においては、ハーフカットＨは、内シート２０の長さ方向両端の中央部を結ぶ直線状に形成されているがこれに限定される必要はない。即ち、ハーフカットＨは、左右に屈曲する鋸歯状（図６（イ）参照）であってもよく、正弦波形状（波形状）（図６（ロ）参照）等であってもよい。尚、図６（ロ）に示すように、包装体１の長さ方向に沿った側縁部のシールＳ１に設けられた幅方向中心に向かって突出する位置決め突出部Ｓ１ａ，…の代わりに、包装体１に収納される海苔３の長さ方向側縁に沿って細帯状のシールＳ１ｂを設けてもよく、スポットシール（図示せず）を設けてもよい。即ち、海苔３が収納空間内で移動しないように、その周縁に沿って１又は複数のシールが設けられていればよい。
【００８７】
さらに、ハーフカットＨは、包装体１（内シート２０）の幅方向における中央部に形成される必要もなく、左右どちらかに偏っていてもよく、傾斜していてもよい。
【００８８】
また、本実施形態においては、ハーフカットＨの破断規制部Ｈａと破断開始部Ｈｂとは、共に深さが一定の溝であって、その間を傾斜面状の連結部Ｈｃによって連結されているが、これに限定される必要はない。即ち、破断規制部Ｈａと破断開始部Ｈｂとを連結する連結部Ｈｃは、傾斜面状でなく垂直面状であってもよい（図６（ハ）参照）。また、破断規制部Ｈａと破断開始部Ｈｂとその連結部Ｈｃとで、溝の底部が正弦波状（図６（ニ）参照）になるよう形成されていてもよい。
【００８９】
また、図７（イ）に示すように、センターシート２３が内シート２０の積層方向外側にハーフカットＨを覆うように配設されてもよい。その際、センターシート２３は、ハーフカットＨに交わることなく（沿って）且つセンターシート２３の全長に亘って内シート２０にシールＳ’される。
【００９０】
このようにセンターシート２３を設けることで、おにぎり２を包装した際、内シート２０とおにぎり２との間にセンターシート２３が介在するように配置される。そのため、内シート２０におけるハーフカットＨの一部が運搬時の衝撃等で破断したとしても、内シート２０の該破断部とおにぎり２との間にセンターシート２３が介在し、前記破断部にセンターシート２３が蓋をした状態となる。その結果、センターシート２３によって、前記破断部から浸入しようとするおにぎり２が有する水分（湿気）が海苔３に到達することを防ぐことができる。
【００９１】
特に、センターシート２３’が内シート２０の積層方向における内側に重ね合わされた場合、該センターシート２３’は、緩衝材としても作用する。即ち、センターシート２３’は、包装体１でおにぎり２を包装した際、内シート２０の外部側（積層方向においておにぎりと反対側）に位置している。そのため、該包装体１に外部から衝撃等が加わると、該衝撃等は、外シート１０、海苔３、センターシート２３’、そして内シート２０の順に伝わる。従って、センターシート２３’を経て内シート２０に伝わる衝撃は、センターシート２３’がない場合に比べて減少している。その結果、センターシート２３’を内シート２０の積層方向における内側に重ね合わせることで、衝撃等によってハーフカットＨの一部（破断開始部Ｈｂ）が破断することを防止、若しくは減少させることができる。
【００９２】
また、センターシート２３は、ハーフカットＨと交わることなく且つセンターシート２３の全長に亘って前記ハーフカットＨを挟んで一方側の内シート２０にシールされている。そのため、おにぎり２を包装している包装体１を取り外しておにぎり２と海苔３とを合体させるために内シート２０をハーフカットＨで幅方向に分断した際、分断された一方の内シート２０と共に該一方の内シート２０にシールされているセンターシート２３は、おにぎり２と海苔３との間から容易に引き抜かれる（取り除かれる）。
【００９３】
尚、センターシート２３，２３’は、内シート２０と略同程度の長さの矩形状シートであることが好ましいが、これに限定される必要もなく、おにぎり２を包装体１で包装した際、内シート２０のハーフカットＨにおける外部からの衝撃が加わり易い部位のみをカバーできる（覆うことができる）ような長さであってもよく、ハーフカットＨを覆うことができれば矩形状以外の形状でもよい。
【００９４】
また、図７（イ）に示す実施形態においては、センターシート２３，２３’は内シート２０の積層方向における外側、又は内側の一方だけに設けられているが、両方にそれぞれ設けられてもよい。
【００９５】
さらに、センターシートは、内シート２０のみに設けられる必要はなく、外シート１０にも設けられてもよい。その場合、外シート１０の積層方向内側に、該外シート１０におけるハーフカットＨを覆うようにセンターシート２３’’がさらに重ね合わされ、該センターシート２３’’は、前記ハーフカットＨと交わることなく且つ全長に亘り、前記ハーフカットＨを挟んで一方側の外シート１０に熱溶着されるように配設される。
【００９６】
このように構成されることで、前記センターシート２３’’は、包装体１でおにぎり２を包装した際、外シート１０の内部側（積層方向において海苔３側）に位置している。そのため、該包装体１に外部から衝撃等が加わると、該衝撃等は、外シート１０、センターシート２３’’、海苔３、そして内シート２０の順に伝わる。従って、センターシート２３’’を経て海苔３や内シート２０に伝わる衝撃は、センターシート２３’’がない場合に比べて減少している。その結果、センターシート２３’’を外シート１０の積層方向における内側に重ね合わせることで、衝撃等によって海苔３の破損（破れ）や内シート２０におけるハーフカットＨの一部（破断開始部Ｈｂ）が破断することを防止、若しくは減少させることができる。
【００９７】
これに加え、センターシート２３’’が上記構成のように外シート１０の内側に配設されることで、外シート１０におけるハーフカットＨの一部が破断した場合に、かかる破断部を前記同様センターシート２３’’が蓋をすることで、外気中の水分が海苔３の収納空間に浸入して海苔３が湿気るのを抑制することができ、また、海苔３が外気に直接触れて傷むことも抑制し、さらに、海苔３の収納空間への異物の混入をも好適に抑制することができる。尚、センターシート２３’’は、外シート１０と略同程度の長さの矩形状シートであることが好ましいが、前記同様、この長さに限定される必要はない。
【００９８】
また、本実施形態においては、外シート１０を２つに分断するために分断可能部１１は、ハーフカットＨによって構成されているが、これに限定される必要もなく、外シート１０の積層方向内側にカットテープが貼着されていてもよい。このようにすることでも、外シート１０を分断可能部１１において、分断することができる。即ち、外シート１０を幅方向に分断可能な手段であればよい。
【００９９】
また、図７（イ）の実施形態においては、センターシート２３は、幅方向における一方側端部を全長に亘って真っ直ぐな帯状にシールしているが、これに限定される必要はなく、波線状でもよく、複数のスポットシールでもよい。さらには、面状にシールしてもよい。即ち、センターシートは、ハーフカットを挟んで一方側の内シートに固定（シール）され且つハーフカットを覆うように配設されていればよい。
【０１００】
図７（ロ）に示すように、少なくとも一対の折り返し用シート２４，２４が内シート２０の積層方向外側に、ハーフカットＨを挟むように配設されてもよい。その際、該一対の折り返し用シート２４，２４は、その内側端部２４ａ，２４ａをハーフカットＨに沿うと共に、折り返し用シート２４，２４の全長に亘って内シート２０にシールＳ’’される。
【０１０１】
このように、折り返し用シート２４，２４を設けることで、該一対の折り返し用シート２４，２４は、その内側端部２４ａ，２４ａをハーフカットＨに沿って且つ全長に亘って内シート２０にシールＳ’’されている。そのため、おにぎり２を包装した際、ハーフカットＨの両側部では、内シート２０ではなく、折り返し用シート２４，２４がおにぎり２と接することとなる。
【０１０２】
そのため、包装体１をおにぎり２から取り外すために内シート２０をハーフカットＨから幅方向に分断させ、該分断部が離間する方向に内シート２０を引き離すと、折り返し用シート２４，２４の内側（ハーフカット側）端部２４ａ，２４ａがシールＳ”されている内シート２０に引っ張られる。そのため、折り返し用シート２４，２４が接しているおにぎり２と擦れることなく内側（ハーフカットＨ側）から順に米飯加工食品と反対方向に捲れ上がり、おにぎり２を崩す（割れを生じさせる）ような力が発生することなく、内シート２０をおにぎり２と海苔３との間から容易に引き抜くことができる。
【０１０３】
その結果、分断した内シート２０をおにぎり２と海苔３との間から引き抜く際、無理な力を加える必要がないため、おにぎり２の崩れ（割れ）を抑制することができると共に海苔３の破れ等の発生も抑制することができる。
【０１０４】
尚、一対の折り返し用シート２４，２４は、内シート２０と略同程度の長さの矩形状シートであることが好ましいが、これに限定される必要もなく、内シート２０よりも短くてもよく、矩形状以外の形状でもよい。また、両方が同一形状のシート体であってもよく、互いに形状、長さ、幅等が異なっていても上記効果を奏する形状であればよい。
【０１０５】
また、図７（ロ）の実施形態においては、折り返し用シート２４，２４は、ハーフカットＨから僅かに距離をおいて平行に真っ直ぐな帯状のシールによって内シート２０にシールされている。しかし、これに限定される必要はなく、ハーフカットＨに沿って直線状に配列された複数のスポットシール等でもよい。即ち、折り返し用シートは、上記のように、内シートを分断していく際、接しているおにぎり２と擦れることなく内側から順に捲れ上がり、おにぎり２を崩すような力が発生することなく、内シート２０をおにぎり２と海苔３との間から容易に引き抜くことができるように内シート２０にシールされていればよい。
【０１０６】
また、一対の折り返し用シート２４，２４の間に、さらにセンターシート（図示せず）が配設されてもよい。即ち、少なくとも一対の折り返し用シート２４，２４が内シート２０の積層方向外側に、該内シート２０におけるハーフカットＨを挟むように配設されると共に、前記折り返し用シート２４，２４の間に、且つ積層方向において該折り返し用シート２４，２４と重なることなく、センターシートが内シート２０の積層方向外側にハーフカットＨを覆うように配設され、センターシートは、ハーフカットＨに交わることなく（沿って）且つセンターシート２３の全長に亘り、前記ハーフカットＨを挟んで一方側の内シート２０にシール（熱用着）されると共に、一対の折り返し用シート２４，２４は、その内側端部２４ａ，２４ａをハーフカットＨに沿って且つ折り返し用シート２４，２４の全長に亘って内シート２０にシール（熱用着）Ｓ’’されてもよい。
【０１０７】
かかる構成によれば、前記同様、包装体１をおにぎり２から取り外すために内シート２０をハーフカットＨから幅方向に分断させ、該分断部が離間する方向に内シート２０を引き離すと、折り返し用シート２４，２４の内側（ハーフカット側）端部２４ａ，２４ａがシールＳ”されている内シート２０に引っ張られる。そのため、折り返し用シート２４，２４が接しているおにぎり２と擦れることなく内側から順に米飯加工食品と反対方向に捲れ上がり、おにぎり２を崩す（割れを生じさせる）ような力が発生することなく、内シート２０をおにぎり２と海苔３との間から容易に引き抜くことができる。これに加え、このように前記センターシートを設けることで、おにぎり２を包装した際、内シート２０とおにぎり２との間にセンターシートが介在するように配置される。そのため、内シート２０におけるハーフカットＨの一部が運搬時の衝撃等で破断したとしても、内シート２０の該破断部とおにぎり２との間に前記センターシートが介在し、前記破断部に前記センターシートが蓋をした状態となる。さらに、積層方向において該折り返し用シート２４，２４と重なることなく、前記センターシートが内シート２０の積層方向外側にハーフカットＨを覆うように配設されていることから、折り返し用シート２４，２４とおにぎりとの間に前記センターシートが存在していない。そのため、包装体１をおにぎり２から取り外すために内シート２０をハーフカットＨから幅方向に分断させる際に、前記センターシートが折り返し用シート２４，２４が接しているおにぎり２と擦れることなく内側から順に米飯加工食品と反対方向に捲れ上がるのを邪魔することがない。その結果、おにぎり２を崩す（割れを生じさせる）ような力が発生することなく、内シート２０をおにぎり２と海苔３との間から容易に引き抜くことができる。
【０１０８】
図７（ハ）に示すように、内シート２０の一部が積層されるよう、折り目が長さ方向に沿うと共に山折り２６と谷折り２７とが交互に形成される折り畳み部２５が内シート２０に備えられてもよい。その際、内シート２０の一部が積層された折り畳み部２５を構成する各層（最外層２０’、中間層２０’’及び最内層２０’’’）の少なくとも一層には、ハーフカットＨが形成されている。
【０１０９】
このようにすることで、簡単な構成であるにもかかわらず、折り畳み部２５は、ハーフカットＨの一部が衝撃等によって破断したとしても、該破断部と対向する位置の折り畳まれた内シート２０によって前記破断部が蓋をされた状態となるため、前記破断部から浸入しようとする積層方向外側からの湿気（おにぎり２の有する水分）が海苔３に到達することを好適に防ぐことができる。
【０１１０】
また、この場合、折り畳み部２５の山折りと谷折りとの各折り目部２６，２７は、シールＳ’’’されていることが好ましい。
【０１１１】
このようにすることで、折り目部２５，２６が固定され、即ち、内シート２０の折り目部（屈曲部）２５，２６は、シートの復元力によって伸びようとするが、折り目部の内側同士がシールされることで、折り目部（屈曲部）２５，２６が固定されるため、おにぎり２を包装する際に折り畳み部２５がずれなくなり、ハーフカットＨの一部が破断したとしても、海苔３への該破断部からの水分の浸入を好適に抑制するという効果を維持し易くなる。また、きれいにおにぎり２を包装し易くなる。
【０１１２】
尚、折り畳み部２５は、山折り２６と谷折り２７とが一箇所ずつ形成される必要もなく、それぞれ複数箇所ずつ形成されてもよく、折り畳み部２５が複数形成されてもよい。
【０１１３】
また、図８（イ）に示すように、他の部分より破断強度の弱い易破断部Ｗが横断するように形成されている品名等の印刷されたラベルＬを、易破断部Ｗが外シート１０の分断可能部１１（ハーフカットＨ）に対応するように、外シート１０の積層方向外側且つ分断可能位置１１を跨ぐよう、包装袋１’に貼着してもよい。
【０１１４】
易破断部Ｗは、例えば、三つ叉状の切込み４０を直線状に複数配列したもの（図８（ロ）参照）や、多数の小さな貫通孔４１，…を帯状に配設したもの（図８（ハ）参照）や、複数の一定深さの溝４２，…を平行に形成したもの（図８（ニ）参照）である。即ち、易破断部Ｗは、ラベルＬを横断する所定の幅Ｄの帯状部分の強度（破断強度）が、他の部分よりも弱くなるように構成されていればよい。
【０１１５】
このようにすることで、おにぎり２から包装体１を取り外すために外シート１０を分断する際、ラベルＬは、外シート１０の分断可能部１１と共に易破断部Ｗに沿って容易に破断でき、包装体１をおにぎり２から取り外すことができる。即ち、おにぎり２から包装体１を取り外す際、外シート１０に設けられた分断可能位置（分断可能部１１）を跨ぐように貼着されている前記ラベルＬに邪魔されることなく、容易に外シート１０を分断することができる。
【０１１６】
尚、易破断部Ｗと分断可能部１１とが対応するようにラベルＬを外シート１０に貼着する際、製造工程上の誤差のために、ラベルＬが外シート１０に対して貼着予定位置よりも幅方向に僅かにずれる場合がある。このような場合でも、易破断部Ｗと分断可能部１１とがずれないように、即ち、易破断部Ｗと分断可能部１１とが重なるように、易破断部Ｗの幅Ｄが設定されている。
【０１１７】
また、包装体１でおにぎり２を包装する際、包装体１は、袋状にしておにぎり２を包装することに限定される必要はなく、図９に示すような、従来からのおにぎり２に即して折り曲げた形状となるように包装してもよい。このようにしても、外シート１０と内シート２０とにハーフカットＨをそれぞれ形成することによって、おにぎり２の底辺側の角部から突出している部分的に包装体１が折り重なった耳部Ｍ’，Ｍ’を互いに離間方向に引っ張るだけで、外シート１０と内シート２０とがハーフカットＨで分断され、おにぎり２と海苔３とを合体させると共に包装体１をおにぎり２から取り外すことができる。
【０１１８】
また、本実施形態においては、ノッチ（分断開始部）１２は、Ｖ字状の切込みで構成されているがこれに限定される必要はない。即ち、前記外シート１０又は内シート２０の少なくとも一方に形成される前記ハーフカットＨの少なくとも一方の端部に分断開始部がさらに形成され、該分断開始部は、切込みの先端部に先端側が円弧又は略円弧状の貫通孔が連接される構成であってもよい。
【０１１９】
一般に、分断開始部としては、上記Ｖ字状の切込み（いわゆる、ノッチ）、又はホームベース型（同幅の切込みの先端部がＶ字状となっている形状）の切込みによって構成されている場合が多い。かかる分断開始部は、その両側が離間方向に引っ張られることで前記Ｖ字状の先端部に力が集中して破断（分断）し始める。しかし、製造工程上の誤差により、前記Ｖ字状の切込み先端とハーフカットやミシン目等の分断可能部とが幅方向にずれた場合、即ち、分断可能部の端部がＶ字状の切込みの斜辺部と接続されている場合、破断しようとする力は、切込みは先端に集中して分断可能部の端部へうまく力が伝わらず、分断可能部を分断するのに通常よりも力が必要であったり、分断可能部と異なる領域が破断することが懸念される。
【０１２０】
しかし、上記構成によれば、ハーフカット両端部に形成される破断開始部は、切込みの先端部に先端側が円弧又は略円弧状の貫通孔が連接されているため、製造行程上の誤差によって破断可能部が前記切込み先端の中心と幅方向にずれた位置で接続されていても、Ｖ字状切込みのように先端だけでなく、円弧又は略円弧状部分全体に力が伝わる。
【０１２１】
そのため、前記円弧又は略円弧状部分に分断可能部の端部が接続されていれば、容易且つ小さな力で分断可能部を破断させることができる。
【０１２２】
また、前記分断開始部は、先端に向かって幅が狭くなるような切込み先端部に先端側が円弧又は略円弧状の貫通孔が連接されており、該貫通孔は、前記切込みとの連接部の幅よりも幅広に形成されていてもよい。
【０１２３】
かかる構成によれば、本実施形態のように包装体を折り重ねておにぎり等の米飯加工食品を包装する際、対応する切込み同士が幅方向に若干ずれたとしても、かかる幅方向のずれによって、分断開始部を構成する切込み（ノッチ）が塞がることがない。
【０１２４】
即ち、図１０（イ）に示すように、米飯加工食品を包装するために包装体１を折り重ねた際、切込み１２，１２が幅方向にずれることで、互いに切込み部を塞ぐようにシールされてしまう。このように包装体がシールされると、米飯加工食品とシート状食品とを合体させるために包装体を分断しようとしても、切込み先端にうまく力が集中せず分断し難くなる。
【０１２５】
そのため、図１０（ロ）に示すように、分断開始部は、シート端縁から切込み１２’の先端に向かって幅が狭くなるような切込み１２’先端部に先端側が円弧状の貫通孔、図１０（ロ）に示す実施形態においては、円形の貫通孔Ａを連接した形状とし、該貫通孔Ａの幅（直径）は、切込み１２’の先端部よりも幅広となるように設定されている。
【０１２６】
このようにすることで、上記のように包装体を折り重ねた際、対応する分断開始部１２’，１２’が幅方向にずれたとしても、完全に重なって塞がり難い。このように、切込み部１２’が完全に塞がらなければ、包装体分断時に切込み部１２’先端部にうまく力が集中し、分断し（破断させ）易い。また、先端に幅広の先端側が円弧状の貫通孔が形成されているため、該円弧状部全体に分断しようとする力が分散されるため、上記のように、製造行程上の誤差によって破断可能部が前記切込み先端の中心と幅方向にずれた位置で接続されていても、前記貫通孔Ａの先端側の円弧（又は略円弧状）部分全体に力が伝わるため、前記円弧（又は略円弧状）部分に分断可能部の端部が接続されさえすれば、容易且つ小さな力で分断可能部を破断させることができる。
【０１２７】
さらに、切込みが先端に向かって幅狭となることで、機能を損なうことなく切込み部分の面積を少なくすることができ、包装体で米飯加工食品を包装した際の見栄えがよくなる。
【０１２８】
尚、前記貫通孔Ａは、図１０（ロ）の実施形態のような円形の貫通孔Ａに限定される必要はなく、先端側が円弧であれば、後方側は、テーパー状Ａ’（図１０（ハ）参照）等であってもよく、また先端側は、完全な円弧でなく、鋸歯状Ａ’’（図１０（ニ）参照）や楕円状（図示せず）等の略円弧状であってもよい。このような形状としても、包装体分断時に、先端だけでなく貫通孔の先端側全体に分断方向の力が伝わり、分断可能部との接続位置が幅方向にずれたとしても分断可能部を破断し難くはならない。また、切込みは、先端に向かって直線状に幅狭になるよう形成される必要はなく、図１０（ニ）に示すように、曲線（円弧状）に幅狭となる切込み１２’’であってもよく、階段状や波線状（図示せず）であってもよい。
【図面の簡単な説明】
【０１２９】
【図１】本実施形態に係る包装体の分解斜視図を示す。
【図２】（イ）は同実施形態に係る包装体の斜視図を示し、（ロ）は他実施形態に係る包装体の一部拡大斜視図を示す。
【図３】同実施形態に係る包装体のハーフカットに沿った部分拡大断面図を示す。
【図４】同実施形態に係る包装体でのおにぎりの包装手順を示す図である。
【図５】同実施形態に係る包装体の取り外し（開封）手順を示す図である。
【図６】他実施形態に係る包装体の（イ）は鋸歯状のハーフカットが形成された包装体の正面図を示し、（ロ）は正弦波（波形状）のハーフカットが形成された包装体の正面図を示し、（ハ）は、連結部が垂直面状のハーフカットに沿った部分拡大断面図を示し、（ニ）は、底部が正弦波状のハーフカットに沿った部分拡大断面図を示す。
【図７】他実施形態に係る包装体の（イ）はセンターシートを備えた包装体の概略横断面図を示し、（ロ）は折り返しシートを備えた包装体の概略横断面図を示し、（ハ）折り畳み部を備えた包装体の概略横断面図を示す。
【図８】他実施形態に係る包装体の（イ）は、易破断部が形成されたラベルが貼着された包装体の斜視図を示し、（ロ）は三つ叉状の切込みで構成される易破断部の部分拡大図を示し、（ハ）は多数の小さな貫通孔で構成さえる易破断部の部分拡大図を示し、（ニ）は複数の溝で構成される易破断部の部分拡大図を示す。
【図９】他実施形態に係る包装形状の正面図を示す。
【図１０】（イ）は、本実施形態に係る分断開始部の部分拡大図を示し、（ロ）乃至（ニ）は、他実施形態に係る分断開始部の部分拡大図を示す。
【図１１】従来の包装体の概略横断面図を示す。
【図１２】従来の包装体の（イ）は包装手順を示す図であり、（ロ）は包装状態の正面図を示す。
【符号の説明】
【０１３０】
１…米飯加工食品の包装体（包装体）、１’…米飯加工食品の包装袋（包装袋）、２…米飯加工食品（おにぎり）、３…シート状食品（海苔）、１０…外シート（シート体）、１１…分断可能部、１２，１２’…ノッチ（分断開始部又は切込み）、２０…内シート（シート体）、２０’最外層、２０’’…中間層、２０’’’…最内層、２１…分断可能部、２２…ノッチ（分断開始部）、２３，２３’，２３’’…センターシート、２４…折り返し用シート、２５…折り畳み部、２６…山折り（山折り部）、２７…谷折り（谷折り部）、Ａ，Ａ’，Ａ’’…貫通孔、ｄａ…破断規制部におけるシートの厚み、ｄｂ…破断開始部におけるシートの厚み、Ｈ…ハーフカット、Ｈａ…破断規制部、Ｈｂ…破断開始部、Ｈｃ…連結部、Ｌ…ラベル、Ｓ…囲い込み領域、Ｗ…易破断部
【図１】
2008100741.tif 000003
【図２】
2008100741.tif 000004
【図３】
2008100741.tif 000005
【図４】
2008100741.tif 000006
【図５】
2008100741.tif 000007
【図６】
2008100741.tif 000008
【図７】
2008100741.tif 000009
【図８】
2008100741.tif 000010
【図９】
2008100741.tif 000011
【図１０】
2008100741.tif 000012
【図１１】
2008100741.tif 000013
【図１２】
2008100741.tif 000014